(57)【要約】【課題】複数種の容器のサイズに対応可能で携行時に嵩張らない軽量なカップ麺ホルダーを実現すること。【解決手段】薄盤状の略Ｔ字ベルトを環状に連結して形成される連結枠体と、外側はカップ麺容器に当接し内側には前記連結枠体の帯部が略内接して水平に挿通する容器固定面を前部に具備したグリップ体とでホルダーを構成し、前記略Ｔ字ベルトの中間にＴ字状に拡幅部を凸設し、且つ前記拡幅部の両側に隣接して形成される帯部には長さ調整可能な連結手段を具備した。【選択図】図１
2016216079.tif 000002
【特許請求の範囲】
【請求項１】
薄盤状の略Ｔ字ベルトを環状に連結して形成される連結枠体と、外側はカップ麺容器に当接し内側には前記連結枠体の帯部が略内接して水平に挿通する容器固定面を前部に具備したグリップ体とで構成されるホルダーであって、前記略Ｔ字ベルトは中間にＴ字状に凸設した拡幅部を有し、且つ前記拡幅部の両側に隣接して形成される帯部には長さ調整可能な連結手段を具備したことを特徴とするカップ麺ホルダー。
【発明の詳細な説明】
【技術分野】
【０００１】
本発明は薄盤状の略Ｔ字ベルトを複数個連結して形成される枠体と前記枠体を装着するグリップ体とで構成されたカップ麺ホルダーに関する。
【背景技術】
【０００２】
カップ容器入り食品、とりわけカップ麺やカップスープのように容器に熱湯が満たされ、ほんのわずかな不注意から火傷などの事故の恐れが想定されるような飲食物を食する時にはグリップが具備された専用のホルダーを使用することが望ましい。しかし、膨大なカップ麺の年間消費量に比し上記カップ麺専用のホルダーの普及は十分に定着しているとは言い難いレベルであるのが実情である。予想される危険から身を守るための道具としてカップ麺ホルダーの普及速度は速いとはいえないが近年ではその使用効果もメディアで広く紹介されるようになった結果、多様な商品が流通し始めており今後は急速な普及が予想される。普及の遅れの第一の理由はカップ麺用に特化したホルダーは飲食時にのみ有効なかさばる立体物と評価されることにある。またカップ麺はその性質上様々な環境下で随時利用される食品であるためホルダー自体には緊急用具性の側面がある。突然発生する利用機会のために常時携行することには誰しも抵抗感があり、随時利用される道具として万人に認識される要件としては物理的には携行に際して収納を意識させないレベルの容積で携行感のない軽量さであること、機能的には紙製コーヒー容器から複数種のカップ麺容器までのサイズに対応できる利便性の高い仕様であることが重要な要件になる。上記多様なサイズの容器に対応する手段としては長さの調整が容易な結束バンドを枠体として使用することや必要に応じて容器のサイズに合せて製作された枠体を着脱自在に係着可能に形成されたグリップ体に装着して使う方法が有効であることが開示されている。容器サイズの多様性に対応するカップ麺容器用のホルダー類に関しては本出願人の特許第５２３２９６６号の食器とフォークやスプーンなどの食掬具を片手で同時に保持して操作する食事補助具および特願２０１３−１５４１９９のカップ容器把持具の把持体が公開されている。
【先行技術文献】
【特許文献】
【０００３】
【特許文献１】特許第５２３２９６６号公報
【特許文献２】特開２０１５−０２４８３０号公報
【０００４】
特許文献１に開示されたものは本出願人に係る例であり、図１では幅広のベルト状の枠体が環状に巻かれ両端部の重なり合う部分がＵ字状のクリップで固定され一定の形状が維持されている。この例では保持する容器の直径が異なる場合にはクリップを外して枠体の直径を調整した後再度両端をクリップで固定して対応することが示されている。図２には両端が外側にＵ字状に折り返されたステンレス線材の嵌着リングが把持体に係着される方法の一例が公開されている。この例では容器の形状やサイズに合せて切断した線材を対象容器に合せて形成することが示されている。  
【０００５】
特許文献２に開示されたものも本出願人に係る例であり図１では多様な容器の直径に対応する手段として繰り返し利用可能な結束バンドが有効であることが開示されている。図１１では抜き加工可能にシート体に展開された把持体を立体的に組み立ててこれに前記結束バンドを装着した例が開示されている。
【発明の概要】
【発明が解決しようとする課題】
【０００６】
そこで本発明が解決しようとする課題は、複数の直径に対応可能で携行時に嵩張らない軽量なカップ麺ホルダーを実現することである。
【課題を解決するための手段】
【０００７】
課題を解決するための手段としての請求項１に記載のカップ麺ホルダーは薄盤状の略Ｔ字ベルトを環状に連結して形成される連結枠体と、外側はカップ麺容器に当接し内側には前記連結枠体の帯部が略内接して水平に挿通する容器固定面を前部に具備したグリップ体とで構成されるホルダーであって、前記略Ｔ字ベルトは中間にＴ字状に凸設した拡幅部を有し、且つ前記拡幅部の両側に隣接して形成される帯部には長さ調整可能な連結手段を具備したことを特徴とする。
【発明の効果】
【０００８】
前記の発明によれば、薄盤状の素材で組み立てられたグリップ体と連結枠体とで構成されるホルダーはその重量が熱湯を満たしたカップ麺容器に比べて軽微であり使用と携行に際し増量感のない軽量さを実現する。また連結する略Ｔ字ベルトの数量と略Ｔ字ベルト同士を連結する係着位置のいずれか一方もしくは両方を調整することにより対象容器に適合する直径の実現が可能なため連結枠体の端部に無用の長物として余る部分の処理操作が不要であり利便性が向上する。またカップ麺容器の外周面が前記拡幅部に略密着して覆われる面積が単純な帯状のベルトに比べて大幅に増えるため安定性が確保される。
【図面の簡単な説明】
【０００９】
【図１】本特許の概要を説明する一実施例図。
【図２】グリップ体と枠体を１枚の薄盤シートに収納した実施例図。
【発明を実施するための形態】
【実施例】
【００１０】
図１は本特許の一実施例図で（ａ）は薄盤状の略Ｔ字ベルト１の斜視図で、中間部にはカップ麺容器の外周面に略密着する幅と高さのＴ字状に凸設した拡幅部１ａが形成され、この拡幅部に隣接して形成される一方の側の帯部１ｂの両側部にはのこぎり刃状の掛止段差１１、１２が任意の区間に欠成され、他の一方の側の帯部１ｃにはこの部位に連結される別体の略Ｔ字ベルトの前記掛止段差欠成側の帯部が挿入される二等辺三角形の掛止穴１３、１４が中心線に沿って設けられていることを示している。（ｂ）は三個の略Ｔ字ベルト１、２、３が環状に連結枠体４を形成している参考斜視図で、それぞれの掛止段差が欠成された側の帯部が連結する相手側の帯部の掛止穴に挿入された状態で環状部が広げられると三角形に欠切された掛止段差の斜辺と掛止穴の斜辺同士が係着して固定され環状の枠体が完成することを示している。略Ｔ字ベルトの数量の増減と略Ｔ字ベルトの掛止穴の斜辺に挟着する掛止段差の欠切部位の位置を調整することで環状部の直径は任意に設定可能である。なお、略Ｔ字ベルト同士の連結手段はつなぎ換えが容易で外れにくい構造であれば本図で示される形式に限定されないものとする。また、略Ｔ字ベルトの帯部同士が重なり合う連結部分をクリップで固定又は接着テープで仮止めする操作などは安全確保の補助手段として有効である。（ｃ）はグリップ体５に装着した前記連結枠体４にカップ麺容器６を嵌着して把持する状態の実施例を示す斜視図で、グリップ体５はカップ麺容器６に当接する長方形の容器固定面５ａを前面にして略台形の側部５ｄ、５ｅが両側に連設しそれら各接続部を軸にして略コ字形に曲成されている。前記側部５ｄ、５ｅには対向する位置に指通し穴５ｂと前記容器固定面５ａに近接して略四角形の挿通孔５ｃが抜設され、前記挿通孔５ｃには略Ｔ字ベルト１の帯部１ｂが水平に挿通されてグリップ体５と連結枠体４とでカップ麺ホルダー7を形成している。（ｄ）はカップ麺容器側部と略Ｔ字ベルトとの関係を示す図で、太線はカップ麺容器の側部の展開図を示し、この展開図６１の上下の円弧６２、６３と斜線部で示す帯状部を挟む上下の円弧６４、６５は何れも曲率半径の異なる同心円の円弧である。前記展開図６１の中心には前記斜線部を水平方向にして展開図の全幅より小に切断された密点描で示される略Ｔ字ベルト１がその帯部を斜線部の円弧方向に合せて図示されているが、この形状に形成された略Ｔ字ベルトは立体のカップ麺容器の外周に巻きつけた時には帯部と拡幅部が共にカップ容器の外周面に略密着することを示すものである。前記略Ｔ字ベルト1の左右には同形の粗点描で示される略Ｔ字ベルト２、３が同様にそれらの帯部を斜線部の円弧に沿って置かれており、これら３個の略Ｔ字ベルトを相互に連結すると帯部と拡幅部が共にカップ麺容器の外周面に密着する環状の連結枠体が形成されることを示している。なお、略Ｔ字ベルトの帯部は円弧状が理想的であるが帯部が直線に近似する全長に設定される場合には直線的な形状であっても使用上の問題は発生しない。
【００１１】
図２は３個の略Ｔ字ベルト１、２、３とグリップ体５の展開図を随時に抜きとり組立て可能に１枚のシート状台紙８に収納したカップ麺ホルダーユニットの実施例である。前記略Ｔ字ベルト１、２、３とグリップ体５はそれらの外形線に沿って一部が台紙に繋がれた状態で切れ目が設けられ略Ｔ字ベルト１、２、３とグリップ体５は1枚のシート状台紙８に収納維持されている。またグリップ体形成部内には組立て用の折り目があり組立てを容易にしている。因みに本実施例の１枚のシート体の重量は約１５ｇ、シート体から枠体とグリップ体を抜き取り組み合わせた時の重量は約１０ｇであるが、標準サイズのカップ麺容器に熱湯を満たした時の重量は概ね３５０ｇ〜４００ｇの範囲であり本ホルダー使用による増量感はない。シート体にはカップ容器ホルダーに必要な全ての要素が同時に収納されているため新たに別体の枠体を調達する必要もなく、また薄形軽量であるため荷物や書類が詰まったバッグ類であってもそれらの隙間に収納可能である。素材は耐水性の合成紙や厚紙でも厚みや柔軟性によっては使用可能であり樹脂製に限定されるものではなく前記シート内に収納されるグリップ体と略Ｔ字ベルトの数量も任意であり本実施例の数量に限定されるものではないものとする。
【図１】
2016216079.tif 000003
【図２】
2016216079.tif 000004